【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
ＭＲ装置の検査ボリュームに配される患者の身体のＭＲイメージング方法であって、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成するステップと、
ｂ）複数のｋ空間サブセットとして前記ＭＲ信号を取得するステップであって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の取得されるデータセット全体がｋ空間における１つの円をスパンするよう、ｋ空間の中心を中心に回転されるｋ空間ブレードである、ステップと、
ｃ）各ｋ空間サブセットから単一サブセットＭＲ画像を再構成するステップと、
ｄ）前記複数の単一サブセットＭＲ画像において、アーチファクトを含む画像領域を識別し、前記複数の単一サブセット画像内の画像アーチファクトの空間分布から重み係数を導き出すステップであって、前記重み係数は、前記単一サブセット画像のアーチファクトを含む前記画像領域内のボクセル値の重みを低くするものである、ステップと、
ｅ）前記重み係数を使用した前記複数の単一サブセットＭＲ画像の重み付き重ね合わせによって前記単一サブセットＭＲ画像を組み合わせて、最終のＭＲ画像を生成するステップと、
を含むＭＲイメージング方法。
【請求項２】
ＭＲ装置の検査ボリュームに配される患者の身体のＭＲイメージング方法であって、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成するステップと、
ｂ）複数のｋ空間サブセットとして前記ＭＲ信号を取得するステップであって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の全体の取得されたデータセットがｋ空間における１つの円をスパンするように、ｋ空間の中心を中心に回転されるｋ空間ブレードである、ステップと、
ｃ）各ｋ空間サブセットの中心ｋ空間データから、低解像度の単一サブセットＭＲ画像を再構成するステップと、
ｄ）前記複数の低解像度の単一サブセットＭＲ画像において、アーチファクトを含む画像領域を識別し、前記複数の低解像度の単一サブセット画像内の画像アーチファクトの空間分布から重み係数を導き出すステップであって、前記重み係数は、前記低解像度の単一サブセット画像のアーチファクトを含む前記画像領域内のボクセル値の重みを低くするものである、ステップと、
ｅ）前記重み係数に従う前記複数の低解像度の単一サブセットＭＲ画像の重み付き重ね合わせによって前記複数の低解像度の単一サブセットＭＲ画像を組み合わせて、低解像度のＭＲ画像を生成するステップと、
ｆ）前記ｋ空間サブセットを組み合わせて、完全なｋ空間データセットを生成するステップと、
ｇ）前記完全なｋ空間データセットを前記低解像度のＭＲ画像のｋ空間表現と組み合わせて、組み合わされた完全なｋ空間データセットを生成するステップと、
ｈ）前記組み合わされた完全なｋ空間データセットから最終の画像を再構成するステップと、
を含むＭＲイメージング方法。
【請求項３】
アーチファクトを含む前記画像領域が、前記単一サブセットＭＲ画像の整合性解析によって識別される、請求項１又は２に記載のＭＲイメージング方法。
【請求項４】
前記重み付き重ね合わせが、線形逆問題を解くことによって計算される、請求項１に記載のＭＲイメージング方法。
【請求項５】
前記単一サブセットＭＲ画像を再構成するステップの前に、前記ｋ空間サブセットにおいて動きにより引き起こされた変位及び位相エラーを評価し、補正するステップを更に含む、請求項１乃至４のいずれか１項に記載のＭＲイメージング方法。
【請求項６】
請求項２乃至５のいずれか１項に記載のＭＲイメージング方法を実施するＭＲ装置であって、前記ＭＲ装置は、
検査ボリューム内に一様な定常磁場を生成する少なくとも１つの主磁石コイルと、
前記検査ボリューム内に異なる空間方向の切り替え磁界勾配を生成する複数の勾配コイルと、
前記検査ボリューム内にＲＦパルスを生成する、及び／又は前記検査ボリュームに位置付けられる患者の身体からＭＲ信号を受信する、少なくとも１つのＲＦコイルと、
時間的に連続するＲＦパルス及び切り替え磁界勾配を制御する制御ユニットと、
受け取られたＭＲ信号からＭＲ画像を再構成する再構成ユニットと、
を有し、前記ＭＲ装置は、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成するステップと、
ｂ）複数のｋ空間サブセットとして前記ＭＲ信号を取得するステップであって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の取得されるデータセット全体がｋ空間における１つの円をスパンするように、ｋ空間の中心を中心に回転されるｋ空間ブレードである、ステップと、
ｃ）各ｋ空間サブセットの中心ｋ空間データから、低解像度の単一サブセットＭＲ画像を再構成するステップと、
ｄ）複数の前記低解像度の単一サブセットＭＲ画像において、アーチファクトを含む画像領域を識別し、前記低解像度の単一サブセット画像内の画像アーチファクトの空間分布から重み係数を導き出すステップであって、前記重み係数は、前記低解像度の単一サブセット画像のアーチファクトを含む前記画像領域内のボクセル値の重みを低くするものである、ステップと、
ｅ）前記重み係数に従う前記複数の低解像度の単一サブセットＭＲ画像の重み付き重ね合わせによって前記複数の低解像度の単一サブセットＭＲ画像を組み合わせて、低解像度のＭＲ画像を生成するステップと、
ｆ）前記ｋ空間サブセットを組み合わせて、完全なｋ空間データセットを生成するステップと、
ｇ）前記完全なｋ空間データセットを前記低解像度のＭＲ画像のｋ空間表現と組み合わせて、組み合わされた完全なｋ空間データセットを生成するステップと、
ｈ）前記組み合わされた完全なｋ空間データセットから最終の画像を再構成するステップと、
を実施するよう構成される、ＭＲ装置。
【請求項７】
ＭＲ装置上でランされるコンピュータプログラムであって、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成する命令と、
ｂ）複数のｋ空間サブセットとして前記ＭＲ信号を取得する命令であって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の取得されるデータセット全体がｋ空間における１つの円をスパンするように、ｋ空間の中心を中心に回転されるｋ空間ブレードである、命令と、
ｃ）各ｋ空間サブセットの中心ｋ空間データから、低解像度の単一サブセットＭＲ画像を再構成する命令と、
ｄ）複数の前記低解像度の単一サブセットＭＲ画像において、アーチファクトを含む画像領域を識別し、前記低解像度の単一サブセット画像内の画像アーチファクトの空間分布から重み係数を導き出す命令であって、前記重み係数は、前記低解像度の単一サブセット画像のアーチファクトを含む前記画像領域内のボクセル値の重みを低くするものである、命令と、
ｅ）前記重み係数に従う前記複数の低解像度の単一サブセットＭＲ画像の重み付き重ね合わせによって前記複数の低解像度の単一サブセットＭＲ画像を組み合わせて、低解像度のＭＲ画像を生成する命令と、
ｆ）前記ｋ空間サブセットを組み合わせて、完全なｋ空間データセットを生成する命令と、
ｇ）前記完全なｋ空間データセットを前記低解像度のＭＲ画像のｋ空間表現と組み合わせて、組み合わされた完全なｋ空間データセットを生成する命令と、
ｈ）前記組み合わされた完全なｋ空間データセットから最終の画像を再構成する命令と、
をコンピュータに実行させるコンピュータプログラム。
【請求項８】
請求項３乃至５のいずれか１項に記載のＭＲイメージング方法を実施するＭＲ装置であって、前記ＭＲ装置は、
検査ボリューム内に一様な定常磁場を生成する少なくとも１つの主磁石コイルと、
前記検査ボリューム内の異なる空間方向に切り替え磁界勾配を生成する複数の勾配コイルと、
前記検査ボリューム内にＲＦパルスを生成する、及び／又は前記検査ボリュームに位置付けられる患者の身体からＭＲ信号を受信する、少なくとも１つのＲＦコイルと、
時間的に連続するＲＦパルス及び切り替え磁界勾配を制御する制御ユニットと、受け取られたＭＲ信号からＭＲ画像を再構成する再構成ユニッとを、
有し、前記ＭＲ装置は、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成するステップと、
ｂ）複数のｋ空間サブセットとして前記ＭＲ信号を取得するステップであって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の取得されるデータセット全体がｋ空間における１つの円をスパンするように、ｋ空間の中心を中心に回転されるｋ空間ブレードである、ステップと、
ｃ）各ｋ空間サブセットから単一サブセットＭＲ画像を再構成するステップと、
ｄ）複数の前記単一サブセットＭＲ画像において、アーチファクトを含む画像領域を識別し、前記複数の単一サブセット画像内の画像アーチファクトの空間分布から重み係数を導き出すステップであって、前記重み係数は、前記単一サブセット画像のアーチファクトを含む前記画像領域内のボクセル値の重みを低くするものである、ステップと、
ｅ）前記重み係数を使用した前記複数の単一サブセットＭＲ画像の重み付き重ね合わせによって前記複数の単一サブセットＭＲ画像を組み合わせて、最終のＭＲ画像を生成するステップと、
を実行するよう構成される、ＭＲ装置。
【請求項９】
ＭＲ装置上でランされるコンピュータプログラムであって、
ａ）前記身体の少なくとも一部を、少なくとも１つのＲＦパルス及び切り替え磁界勾配のＰＲＯＰＥＬＬＥＲ ＭＲイメージングシーケンスにさらすことによって、ＭＲ信号を生成する命令と、
ｂ）複数のｋ空間サブセットとして前記ＭＲ信号を取得する命令であって、各ｋ空間サブセットは、ｋ空間の異なる部分をカバーし、ｋ空間の中心部分の少なくとも一部が、各ｋ空間サブセットについて取得され、前記複数のｋ空間サブセットは、ＭＲ信号の取得されるデータセット全体がｋ空間における１つの円をスパンするよう、ｋ空間の中心を中心に回転されるｋ空間ブレードである、命令と、
ｃ）各ｋ空間サブセットから単一サブセットＭＲ画像を再構成する命令と、
ｄ）複数の前記単一サブセットＭＲ画像において、アーチファクトを含む画像領域を識別し、前記複数の単一サブセット画像内の画像アーチファクトの空間分布から重み係数を導き出す命令であって、前記重み係数は、前記単一サブセット画像のアーチファクトを含む前記画像領域内のボクセル値の重みを低くするものである、命令と、
ｅ）前記重み係数を使用した前記複数の単一サブセットＭＲ画像の重み付き重ね合わせによって前記複数の単一サブセットＭＲ画像を組み合わせて、最終のＭＲ画像を生成する命令と、
をコンピュータに実行させるコンピュータプログラム。